(57)【要約】【課題】習得期間の長さに依らず、語彙の発達の度合いを指標化できる語彙発達指標推定装置を提供する【解決手段】対象者が獲得した単語の集合を取得して、その要素の数である単語数Ｎ（Ｎは０以上の整数）をカウントする語数カウント部と、予め定めた単語のそれぞれにＸ％獲得齢（Ｘは予め定めた正の数）を対応付けて記憶するＡｏＡ記憶部と、予め定めた単語をＸ％獲得齢の小さいものから順にＮ個取得するＡｏＡ取得部と、対象者が獲得した単語の集合と、予め定めた単語をＸ％獲得齢の小さいものから順にＮ個取得した集合との積集合の要素数をＮで除して共通ボキャブラリー指数を算出する共通ボキャブラリー指数算出部を含む。【選択図】図１
2020115197.tif 000002
【特許請求の範囲】
【請求項１】
対象者が獲得した単語の集合を取得して、その要素の数である単語数Ｎ（Ｎは０以上の整数）をカウントする語数カウント部と、
予め定めた単語のそれぞれにＸ％獲得齢（Ｘは予め定めた正の数）を対応付けて記憶するＡｏＡ記憶部と、
前記予め定めた単語をＸ％獲得齢の小さいものから順にＮ個取得するＡｏＡ取得部と、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出部を含む
語彙発達指標推定装置。
【請求項２】
請求項１に記載の語彙発達指標推定装置であって、
Ｍ人（Ｍは２以上の整数）の前記対象者のそれぞれが獲得した単語の集合に対する、前記語数カウント部と前記ＡｏＡ取得部と前記共通ボキャブラリー指数算出部の動作の実行を制御する制御部と、
Ｍ人の前記対象者の獲得した単語の数と、Ｍ人の前記対象者の前記共通ボキャブラリー指数とから、獲得単語数を変数として前記共通ボキャブラリー指数を求める関数を算出する共通ボキャブラリー指数関数算出部を含む
語彙発達指標推定装置。
【請求項３】
請求項２に記載の語彙発達指標推定装置であって、
獲得した単語の単語数Ｊ（Ｊは０以上の整数）を中心とする所定の単語数の範囲内にある対象者間の共通ボキャブラリー指数の平均または平均関数およびその分散または分散関数に基づいて、獲得した単語の単語数がＪである所定の対象者の共通ボキャブラリー指数が外れ値に該当すると判定される場合に、前記所定の対象者が獲得した単語の集合、または、前記所定の対象者の前記共通ボキャブラリー指数を不正入力と判定する不正入力判定部を含み、
前記共通ボキャブラリー指数関数算出部は、不正入力と判定された対象者のデータを除外して、前記関数を算出する
語彙発達指標推定装置。
【請求項４】
請求項２または３に記載の語彙発達指標推定装置であって、
ある対象者が獲得した単語の単語数Ｋを前記共通ボキャブラリー指数関数に代入して求めた第１の共通ボキャブラリー指数と、この対象者が獲得した単語の集合について求めた第２の共通ボキャブラリー指数の差分の符号および絶対値に基づいて乖離度を算出する乖離度算出部を含む
語彙発達指標推定装置。
【請求項５】
対象者が獲得した単語の集合を取得して、その要素の数である単語数Ｎ（Ｎは０以上の整数）をカウントする語数カウント部と、
予め定めた単語のそれぞれにＸ％獲得齢（Ｘは予め定めた正の数）を対応付けて記憶するＡｏＡ記憶部と、
前記予め定めた単語をＸ％獲得齢の小さいものから順にＮ個取得するＡｏＡ取得部と、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出部と、
獲得した単語の単語数Ｊ（Ｊは０以上の整数）を中心とする所定の単語数の範囲内にある対象者間の共通ボキャブラリー指数の平均または平均関数およびその分散または分散関数に基づいて、獲得した単語の単語数がＪである所定の対象者の共通ボキャブラリー指数が外れ値に該当すると判定される場合に、前記所定の対象者が獲得した単語の集合、または、前記所定の対象者の前記共通ボキャブラリー指数を不正入力と判定する不正入力判定部と、
不正入力と判定された対象者を除くＭ人の前記対象者の獲得した単語の数と、Ｍ人の前記対象者の前記共通ボキャブラリー指数とから、獲得単語数を変数として前記共通ボキャブラリー指数を求める関数を算出する共通ボキャブラリー指数関数算出部を含む
語彙発達指標推定装置。
【請求項６】
対象者が獲得した単語の集合を取得して、その要素の数である単語数Ｎ（Ｎは０以上の整数）をカウントする語数カウント部と、
予め定めた単語のそれぞれにＸ％獲得齢（Ｘは予め定めた正の数）を対応付けて記憶するＡｏＡ記憶部と、
前記予め定めた単語をＸ％獲得齢の小さいものから順にＬ個取得し（Ｌは正の整数）、取得したＬ個の単語のうち、対象者が獲得したＮ個の単語を除外して、残りの単語を次獲得単語と推定する次獲得単語推定部を含む
語彙発達指標推定装置。
【請求項７】
請求項６に記載の語彙発達指標推定装置であって、
推定された次獲得単語を呈示する次獲得単語呈示部を含み、
前記次獲得単語呈示部は、
前記予め定めた単語をＸ％獲得齢の小さいものから順にＮ個取得した集合に含まれる単語を優先して呈示する
語彙発達指標推定装置。
【請求項８】
対象者が獲得した単語の集合を取得して、その要素の数である単語数Ｎ（Ｎは０以上の整数）をカウントする語数カウント部と、
予め定めた単語のそれぞれにＸ％獲得齢（Ｘは予め定めた正の数）を対応付けて記憶するＡｏＡ記憶部と、
前記予め定めた単語をＸ％獲得齢の小さいものから順にＮ個取得するＡｏＡ取得部と、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出部と、
獲得単語数を変数として前記共通ボキャブラリー指数を求める関数である共通ボキャブラリー指数関数を記憶する共通ボキャブラリー指数関数記憶部と、
ある対象者が獲得した単語の単語数Ｋを前記共通ボキャブラリー指数関数に代入して求めた第１の共通ボキャブラリー指数と、この対象者が獲得した単語の集合について求めた第２の共通ボキャブラリー指数の差分の符号および絶対値に基づいて乖離度を算出する乖離度算出部を含む
語彙発達指標推定装置。
【請求項９】
対象者が獲得した単語の集合を取得して、その要素の数である単語数Ｎ（Ｎは０以上の整数）をカウントする語数カウントステップと、
予め定めた単語のそれぞれにＸ％獲得齢（Ｘは予め定めた正の数）を対応付けて記憶するＡｏＡ記憶ステップと、
前記予め定めた単語をＸ％獲得齢の小さいものから順にＮ個取得するＡｏＡ取得ステップと、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出ステップを含む
語彙発達指標推定方法。
【請求項１０】
対象者が獲得した単語の集合を取得して、その要素の数である単語数Ｎ（Ｎは０以上の整数）をカウントする語数カウントステップと、
予め定めた単語のそれぞれにＸ％獲得齢（Ｘは予め定めた正の数）を対応付けて記憶するＡｏＡ記憶ステップと、
前記予め定めた単語をＸ％獲得齢の小さいものから順にＮ個取得するＡｏＡ取得ステップと、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出ステップと、
獲得した単語の単語数Ｊ（Ｊは０以上の整数）を中心とする所定の単語数の範囲内にある対象者間の共通ボキャブラリー指数の平均または平均関数およびその分散または分散関数に基づいて、獲得した単語の単語数がＪである所定の対象者の共通ボキャブラリー指数が外れ値に該当すると判定される場合に、前記所定の対象者が獲得した単語の集合を不正入力と判定する不正入力判定ステップと、
不正入力と判定された対象者を除くＭ−人の前記対象者の獲得した単語の数と、Ｍ−人の前記対象者の前記共通ボキャブラリー指数とから、獲得単語数を変数として前記共通ボキャブラリー指数を求める関数を算出する共通ボキャブラリー指数関数算出ステップを含む
語彙発達指標推定方法。
【請求項１１】
対象者が獲得した単語の集合を取得して、その要素の数である単語数Ｎ（Ｎは０以上の整数）をカウントする語数カウントステップと、
予め定めた単語のそれぞれにＸ％獲得齢（Ｘは予め定めた正の数）を対応付けて記憶するＡｏＡ記憶ステップと、
前記予め定めた単語をＸ％獲得齢の小さいものから順にＬ個取得し（Ｌは正の整数）、取得したＬ個の単語のうち、対象者が獲得したＮ個の単語を除外して、残りの単語を次獲得単語と推定する次獲得単語推定ステップと、
推定された次獲得単語を呈示する次獲得単語呈示ステップを含む
語彙発達指標推定方法。
【請求項１２】
対象者が獲得した単語の集合を取得して、その要素の数である単語数Ｎ（Ｎは０以上の整数）をカウントする語数カウントステップと、
予め定めた単語のそれぞれにＸ％獲得齢（Ｘは予め定めた正の数）を対応付けて記憶するＡｏＡ記憶ステップと、
前記予め定めた単語をＸ％獲得齢の小さいものから順にＮ個取得するＡｏＡ取得ステップと、
前記対象者が獲得した単語の集合と、前記予め定めた単語をＸ％獲得齢の小さいものから順にＮ個取得した集合との積集合の要素数をＮで除して共通ボキャブラリー指数を算出する共通ボキャブラリー指数算出ステップと、
獲得単語数を変数として前記共通ボキャブラリー指数を求める関数である共通ボキャブラリー指数関数を記憶する共通ボキャブラリー指数関数記憶ステップと、
ある対象者が獲得した単語の単語数Ｋを前記共通ボキャブラリー指数関数に代入して求めた第１の共通ボキャブラリー指数と、この対象者が獲得した単語の集合について求めた第２の共通ボキャブラリー指数の差分の符号および絶対値に基づいて乖離度を算出する乖離度算出ステップを含む
語彙発達指標推定方法。
【請求項１３】
コンピュータを、請求項１から８の何れかに記載の語彙発達指標推定装置として機能させるプログラム。
【発明の詳細な説明】
【技術分野】
【０００１】
本発明は、語彙発達指標を推定する語彙発達指標推定装置、語彙発達指標推定方法、プログラムに関する。
【背景技術】
【０００２】
幼児がいつ、どんな語を習得するかを明らかにすることは、言語発達の分野における重要な研究テーマの１つである。幼児の語彙発達データを取得する手法の１つに語彙チェックリスト法(vocabulary checklist method)がある。これは、あらかじめ用意された有限個の語彙からなるチェックリストを用いて、子供が理解/発話できる語を養育者が報告する手法である。すなわち、チェックリストの各語彙について、評価対象者である子供が、評価時の月齢において理解/発話できるか否かを、利用者である養育者が報告する手法である。
【０００３】
従来、発達心理学の分野では、上記のような養育者である親の回答に基づくアンケート調査において語彙チェックリストを用いた大規模集団データで語彙の特徴を捉えてきた。この手法でＷｅｂ上で日誌方式（以下、Ｗｅｂ日誌法）で日本全国からデータ収集する試みにより、非特許文献２に示すように語彙チェックリスト法の横断データから算出した各語彙の「５０％到達日齢」（５０％の子供が語彙を理解している日齢時点。心理学ではＡｏＡ[age of acquisition]）がいつかを調べ、それを語彙の理解日齢としていた。
【０００４】
幼児の語彙発達はこうした手法によって集められたデータに基づいて、対象とする幼児と同月齢の幼児が獲得している語彙や語彙数と、対象とする幼児が獲得している語彙や語彙数とを比較する等により評価できる。
【先行技術文献】
【非特許文献】
【０００５】
【非特許文献１】小椋たみ子、綿巻徹、「日本のこどもの語彙発達の基準研究：日本語マッカーサー乳幼児言語発達質問紙から」発達・療育研 2008. vol.24,3-42.
【非特許文献２】小林哲生、南泰浩、永田昌明、「縦断および横断データを用いた幼児早期現語の獲得日齢の特定」言語処理学会第１８回年次大会、P2-3,2012.
【発明の概要】
【発明が解決しようとする課題】
【０００６】
しかし、幼児の語彙発達は個人差が大きい。また、自閉症児や発達障がいをもつ幼児は言語の獲得速度が緩やかであることが知られており、習得期間の長さのみから語彙の発達状況を推測することは困難である。
【０００７】
そこで本発明は、習得期間の長さに依らず、語彙の発達の度合いを指標化できる語彙発達指標推定装置を提供することを目的とする。
【課題を解決するための手段】
【０００８】
本発明の語彙発達指標推定装置は、語数カウント部と、ＡｏＡ記憶部と、ＡｏＡ取得部と、共通ボキャブラリー指数算出部を含む。
【０００９】
語数カウント部は、対象者が獲得した単語の集合を取得して、その要素の数である単語数Ｎ（Ｎは０以上の整数）をカウントする。ＡｏＡ記憶部は、予め定めた単語のそれぞれにＸ％獲得齢（Ｘは予め定めた正の数）を対応付けて記憶する。ＡｏＡ取得部は、予め定めた単語をＸ％獲得齢の小さいものから順にＮ個取得する。共通ボキャブラリー指数算出部は、対象者が獲得した単語の集合と、予め定めた単語をＸ％獲得齢の小さいものから順にＮ個取得した集合との積集合の要素数をＮで除して共通ボキャブラリー指数を算出する。
【発明の効果】
【００１０】
本発明の語彙発達指標推定装置によれば、習得期間の長さに依らず、語彙の発達の度合いを指標化できる。
【図面の簡単な説明】
【００１１】
【図１】実施例１の語彙発達指標推定装置の構成を示すブロック図。
【図２】実施例１の語彙発達指標推定装置の動作を示すフローチャート。
【図３】実施例２の語彙発達指標推定装置の構成を示すブロック図。
【図４】実施例２の語彙発達指標推定装置の動作を示すフローチャート。
【図５】実施例３の語彙発達指標推定装置の構成を示すブロック図。
【図６】実施例３の語彙発達指標推定装置の動作を示すフローチャート。
【図７】実施例４の語彙発達指標推定装置の構成を示すブロック図。
【図８】実施例４の語彙発達指標推定装置の動作を示すフローチャート。
【図９】横軸を獲得語彙数、縦軸を共通ボキャブラリー指数とした散布図（対面調査の場合）。
【図１０】横軸を獲得語彙数、縦軸を共通ボキャブラリー指数とした散布図（ｗｅｂ調査の場合）。
【発明を実施するための形態】
【００１２】
以下、本発明の実施の形態について、詳細に説明する。なお、同じ機能を有する構成部には同じ番号を付し、重複説明を省略する。
【００１３】
＜用語の定義：「獲得」＞
本明細書において、語彙または単語の「獲得」と表現した場合、対象者がその語彙（単語）を発話できること、対象者がその語彙（単語）を理解できることの双方の概念を含んでいるものとする。語彙発達指標推定装置の実装に当たっては、「獲得」を語彙（単語）の発話に限定してもよいし、語彙（単語）の理解に限定してもよいし、語彙（単語）の発話と理解の双方を含んでもよい。
【００１４】
＜用語の定義：「Ｘ％獲得日齢」、「Ｘ％獲得月齢」、「Ｘ％獲得年齢」、「Ｘ％獲得齢」＞
本明細書において、「Ｘ％獲得日齢」、「Ｘ％獲得月齢」、「Ｘ％獲得年齢」という場合、対象者が幼児であれば、該当する語彙（単語）を全体のＸ％の幼児が獲得する日齢、月齢、年齢を意味する。月齢、年齢を整数とせず、日齢と同程度の精度とする場合、日齢、月齢、年齢のいずれを用いても差異はない。例えば、５０％獲得月齢という場合、該当する語彙（単語）を全体のちょうど半分の幼児が獲得する月齢を意味する。また、上述の「Ｘ％獲得日齢」、「Ｘ％獲得月齢」、「Ｘ％獲得年齢」などを一般化した呼称として、「Ｘ％獲得齢」を用いる。すなわち、該当する語彙（単語）を全体のＸ％の対象者が獲得するまでの期間を、日齢、月齢、年齢などに限定せずに一般的に表現する場合には「Ｘ％獲得齢」を用いる。以下の実施例ではＸ％獲得月齢を例に説明を進めるが、本発明はこれに限定されるものではない。
【００１５】
＜原理＞
以下の実施例に記載の語彙発達指標推定装置は、生後８−４８ヶ月齢の日本語を母語とする幼児（Ｎ＝１４５１）から得られた大規模な語彙データベース、当該データベースに基づいて推定された２６８８語のＡｏＡ（語彙獲得月齢）に基づいて算出した共通ボキャブラリー指数から得られた知見を利用している。例えば、同程度の語彙数（単語数）を獲得している幼児は、同程度の割合の共通語を獲得している傾向がある。語彙数（単語数）が大きくなるにつれ、この傾向は顕著になることが分かっている。この傾向は、人が語彙を獲得する際に共通する傾向であると考えられる。従って、共通ボキャブラリー指数は、対象者の獲得した共通語の特定、対象者全体の傾向と対象者個人の傾向の比較を可能とし、発達変化や個人差を調べるために有益であるといえる。
【実施例１】
【００１６】
以下、図１を参照して、実施例１の語彙発達指標推定装置の構成を説明する。同図に示すように、本実施例の語彙発達指標推定装置１は、語数カウント部１１と、ＡｏＡ記憶部１２ａと、ＡｏＡ取得部１２と、共通ボキャブラリー指数算出部１３と、制御部１３ａと、共通ボキャブラリー指数関数算出部１４と、共通ボキャブラリー指数関数記憶部１４ａを含む構成である。以下、図２を参照して各部の動作を説明する。
【００１７】
＜語数カウント部１１＞
語数カウント部１１は、対象者（例えば、養育者が観察している幼児）が獲得した単語（例えば、発話する単語）の集合を取得して、その要素の数である単語数Ｎ（Ｎは０以上の整数）をカウントし、出力する（Ｓ１１）。
【００１８】
対象者、例えば日本語環境で育つ幼児が獲得する単語については、語彙チェックリストなどを利用することができる。（参考非特許文献１：小林哲生、奥村優子、南泰浩、「語彙チェックリストアプリによる幼児語彙発達データ収集の試み」，IEICE Technical Report HCS2015-59(2016-01)）
獲得した単語を１語１語入力する方法などを用いてもよい。
【００１９】
＜ＡｏＡ記憶部１２ａ＞
ＡｏＡ記憶部１２ａは、予め定めた単語のそれぞれにＸ％獲得月齢（Ｘは予め定めた正の数）を対応付けて（紐づけて）記憶している。
【００２０】
予め定めた単語とは、例えば対象者が日本語環境で育つ幼児の場合、日本語環境で育つ幼児が発達初期に覚える可能性のある語彙であり、例えば上述のＷｅｂ日誌法で収集されＡｏＡが付与された単語である。
【００２１】
ＡｏＡ記憶部１２ａに記憶されている単語はすべて、語彙チェックリストに含まれるようにしておくことがのぞましい。
【００２２】
例えば対象者が日本語環境で育つ幼児の場合、Ｘが小さすぎる（例えばＸ＝３０）と発達の早い幼児しか対象とならず、大きすぎる（例えば８０）と発達の遅い幼児しか対象にならない可能性があるため、対象者が日本語環境で育つ幼児の場合には、Ｘ＝５０程度とするのが好適である。
【００２３】
＜ＡｏＡ取得部１２＞
ＡｏＡ取得部１２は、語数カウント部１１から出力される単語数Ｎを取得し、予め定めた単語をＸ％獲得月齢の小さいものから順にＮ個取得して、出力する（Ｓ１２）。
【００２４】
＜共通ボキャブラリー指数算出部１３＞
共通ボキャブラリー指数算出部１３は、対象者が獲得した単語の集合と、予め定めた単語をＸ％獲得月齢の小さいものから順にＮ個取得した集合を入力とし、対象者が獲得した単語の集合と、予め定めた単語をＸ％獲得月齢の小さいものから順にＮ個取得した集合との積集合の要素数をＮで除して共通ボキャブラリー指数を算出し、対象者が獲得した単語数Ｎと共通ボキャブラリー指数を組にして出力する（Ｓ１３）。共通ボキャブラリー指数（Vocabulary Commonality Index: VocIndex）は、対象者の語彙獲得の発達パタンを解明するために、各対象者が言語発達の初期段階でどの程度共通語を獲得しているかを分析するツールとした（発明者らが定義した）指数である。
【００２５】
共通ボキャブラリー指数の定義を式（１）に示す。
VocIndex(i) = | setVoc(i)∩setAoA(N) | /  N      (1)
【００２６】
ここで、setVoc(i)は対象者iが獲得した語彙（単語）の集合、Nは対象者iが獲得した語彙（単語）の数を表す。setAoA(N)は集合setVoc(i)の要素数（＝単語数＝N）と同じ数の単語を、ＡｏＡ推定順位（付与されているＸ％獲得月齢が小さい順）で並べた単語リストから取ってきた集合である。
【００２７】
式（１）の分子は二つの単語集合の共通部分（積集合）の要素数である。つまり、分子は二つの単語集合で共通する単語（共通語）の語数、分母は獲得総語数（対象者iが獲得した語彙数＝Ｎ）である。そして、この指数VocIndex(i)の取り得る範囲は[0,1]となる。対象者が獲得した語彙（単語）が全て共通語である場合は、共通ボキャブラリー指数は１となる。一方、対象者が獲得した語彙（単語）が全て共通語でなかった場合、共通ボキャブラリー指数は０となる。共通ボキャブラリー指数が大きければ大きいほど、対象者が獲得した語彙が共通語である割合が多いことを示す。
【００２８】
対象者が獲得する語彙（単語）の数が増えるにつれ、共通ボキャブラリー指数は大きくなる傾向にある。対象者が獲得した単語の集合を対面式でアンケート調査し、得られた結果に基づいて共通ボキャブラリー指数を求め、横軸を獲得語彙数、縦軸を共通ボキャブラリー指数とした散布図を図９に示す。なお、図９のデータは、無作為に選ばれた１４４６名の幼児のデータであり、言語の遅れのある幼児のデータを含む。対象者が獲得する語彙（単語）の数と、共通ボキャブラリー指数の関係には図９のような強い関係性がある（図９中灰色のラインが関係性を示すライン、データはその平均値の上下に極めて小さな範囲で分布する）。同図の散布図の分散が小さいことから、対象者が獲得する語彙（単語）の数と、共通ボキャブラリー指数の関係は対象者の個人差や、発達の遅れによって影響をうけないため、共通ボキャブラリー指数を語彙の発達の指標（語彙数を示唆する指標）として用いることができる。
【００２９】
＜制御部１３ａ＞
制御部１３ａは、Ｍ人（Ｍは２以上の整数）の対象者のそれぞれが獲得した単語の集合に対する、語数カウント部１１とＡｏＡ取得部１２と共通ボキャブラリー指数算出部１３の動作（Ｓ１１、Ｓ１２、Ｓ１３）の繰り返し実行を制御する。
【００３０】
Ｍは、平均値を計算した場合に、当該平均値が信頼できる程度の数とすれば好適である。例えば、Ｍ≧２００とすれば好適である。対象者Ｍ人分のデータには同じ対象者の月齢の異なるデータ（習得期間の異なるデータ）が含まれていてもよい。
【００３１】
＜共通ボキャブラリー指数関数算出部１４＞
共通ボキャブラリー指数関数算出部１４は、Ｍ人の対象者の獲得した単語の数と、Ｍ人の対象者の共通ボキャブラリー指数を入力として、獲得単語数（獲得語彙数）を変数として共通ボキャブラリー指数を求める関数（近似式）VI(x)を算出し、出力する（Ｓ１４）。
【００３２】
関数の求め方にはバリエーションがある。例えば、対象者を獲得単語数順に並べ獲得単語数の少ないものから順にｘ個（例えばｘ＝６０）のデータを取り出し、その平均獲得単語数と平均ボキャブラリー指数を求めてプロットする。このプロットをｒデータ（ｒは１以上の整数）づつシフトしながら実行し、移動平均値を求めてもよい。また、ある獲得単語数ｘの前後の獲得単語数（例えば±２０語）の対象者のデータに基づいて、獲得単語数ｘの移動平均値を求めてもよい。この場合、獲得単語数ｘ＋ｒの前後の獲得単語数（例えば±２０語）の対象者のデータに基づいて、獲得単語数ｘ＋ｒの移動平均値を求めることができる。また、例えば、ある獲得単語数ｘの前後の対象者（例えば±２０人）の対象者のデータに基づいて、獲得単語数ｘの移動平均値を求めてもよい。この場合、獲得単語数ｘ＋ｒの前後の対象者（例えば±２０人）のデータに基づいて、獲得単語数ｘ＋ｒの移動平均値を求めることができる。
【００３３】
上記の隣り合う移動平均値を直線（１次式）で結ぶことにより、（近似式）VI(x)を求めてもよいし、いくつかの移動平均から回帰式をもとめ、それを複数個接続してもよい。また、これらの移動平均値の全てを用いて、回帰式を求めてもよい。
【００３４】
また、移動平均値によらず、獲得単語数（獲得語彙数）と共通ボキャブラリー指数のデータ群から直接回帰式（多項式回帰や一般化線形回帰、非線形回帰）を求めてもよいし、カルマンフィルタや高周波を除去するフィルターなどを利用してもよい。
【００３５】
また、上記の方法で、対象者を獲得単語数順に並べ、獲得単語数の少ないものから順にｘ個（例えばｘ＝６０）のデータを取り出し、その平均獲得単語数と平均ボキャブラリー指数およびその分散を求めてプロットし、このプロットを所定の数のデータづつシフトしながら実行し、移動平均値を求め、例えば隣り合う移動平均値を直線（１次式）で結ぶことにより、近似式を求めてもよいし、いくつかの移動平均から回帰式をもとめ、それを複数個接続してもよい。また、これらの移動平均値の全てを用いて、回帰式を求めてもよい。
【００３６】
＜共通ボキャブラリー指数関数記憶部１４ａ＞
共通ボキャブラリー指数関数記憶部１４ａは、ステップＳ１４で算出した共通ボキャブラリー指数関数VI(x)を入力とし、記憶する。
【００３７】
以上が学習フェーズである。学習フェーズは事前に行い、共通ボキャブラリー指数関数VI(x)を共通ボキャブラリー指数関数記憶部１４ａに予め記憶しておき、利用フェーズにおいて、共通ボキャブラリー指数関数VI(x)を共通ボキャブラリー指数関数記憶部１４ａから読み出して用いる。
【実施例２】
【００３８】
＜実施例２の課題＞
一般から広く対象者のデータを収集した場合、不正入力がなされる可能性がある。
【００３９】
＜実施例２の効果＞
そこで実施例２では、対象者のデータが不正入力されたものであるか否かを自動で判定可能な語彙発達指標推定装置を提供することを目的とする。
【００４０】
以下、図３を参照して、実施例２の語彙発達指標推定装置の構成を説明する。同図に示すように本実施例の語彙発達指標推定装置２は、実施例１と同様の語数カウント部１１と、ＡｏＡ記憶部１２ａと、ＡｏＡ取得部１２と、共通ボキャブラリー指数算出部１３と、制御部１３ａと、実施例１と異なる不正入力判定部２５と、共通ボキャブラリー指数関数算出部２４（ただし、適宜省略可能）と、共通ボキャブラリー指数関数記憶部２４ａ（ただし、適宜省略可能）を含む構成である。以下、図４を参照して実施例１と異なる動作を説明する。
【００４１】
＜不正入力判定部２５＞
不正入力判定部２５は、共通ボキャブラリー指数関数算出部１３が出力する複数個の、対象者が獲得した単語数と当該対象者の当該単語数における共通ボキャブラリー指数の組を入力とし、各共通ボキャブラリー指数が不正入力されたデータから算出されたものであるか否かを判定し、判定結果または不正入力でない「対象者が獲得した単語数と共通ボキャブラリー指数の組」を出力する。
【００４２】
不正入力判定部２５は、繰り返し入力される、対象者ｉ（１≦ｉ≦Ｍ）の獲得した単語数Ｎｉと共通ボキャブラリー指数VocIndex(i)の組を図示しない記憶部に記憶する。あるいは学習フェーズにおいて、対象者ｉ（１≦ｉ≦Ｍ）の獲得した単語数Ｎｉと共通ボキャブラリー指数VocIndex(i)の組を、図示しない記憶部に記憶しておくようにしてもよい。不正入力判定部２５は、記憶部に記憶された対象者ｉ（１≦ｉ≦Ｍ）の獲得した単語数Ｎｉと共通ボキャブラリー指数VocIndex(i)の組を入力とできればよい。
【００４３】
不正入力判定部２５は、所定の単語数（ここではＪ（Ｊは０以上の整数）とする）ごとに、獲得した単語の単語数Ｊを中心とする所定の単語数の範囲内にある対象者間の共通ボキャブラリー指数の平均または平均関数およびその分散または分散関数を求め、共通ボキャブラリー指数の平均または平均関数およびその分散または分散関数に基づいて、獲得した単語の単語数がＪである所定の対象者の共通ボキャブラリー指数のうち、外れ値に該当する共通ボキャブラリー指数があると判定される場合に、該当する共通ボキャブラリー指数（または、該当する共通ボキャブラリー指数を算出する元になった所定の対象者が獲得した単語の集合）を不正入力によるものであると判定する（Ｓ２５）。平均関数は、例えば共通ボキャブラリー指数の移動平均などでよい。また、分散関数は、例えば共通ボキャブラリー指数の分散に所定の係数を乗算したものでよい。あるいは、得られた平均値、分散を関数近似したものをそれぞれ平均関数、分散関数としてもよい。
不正入力判定部２５は、「対象者が獲得した単語数と共通ボキャブラリー指数の組」の共通ボキャブラリー指数、または単語の集合が不正入力によるものであると判定されれば０、不正入力によるものでないと判定されれば１というように、判定結果を２値で表し、「対象者が獲得した単語数と共通ボキャブラリー指数と判定結果の組」を出力してもよいし、「対象者が獲得した単語数と共通ボキャブラリー指数の組」の共通ボキャブラリー指数、または単語の集合が、不正入力によるものでないと判定された場合に限り、「対象者が獲得した単語数と共通ボキャブラリー指数の組」を出力するようにしてもよい。
【００４４】
共通ボキャブラリー指数は、単語数５０以上では極めて狭い範囲に集中する。不正入力判定部２５は、上記の方法で、例えば単語数Ｊ±３０語の対象者の平均共通ボキャブラリー指数μＪを求め、これらの対象者の共通ボキャブラリー指数の分散を求める。この分散をσＪとする。不正入力判定部２５は、単語数Ｊの対象者の共通ボキャブラリー指数がμＪ±ｗσＪの範囲外であれば、その対象者のデータを不正入力とし、範囲内であれば、その対象者のデータを不正入力ではないと判定する。ｗは１．５〜３程度の値が好ましい。
【００４５】
語彙獲得に関するアンケート調査（ｗｅｂ調査）においては、データ入力が粗雑、散漫に行われたなどの理由により、図１０に示すように、全体の傾向から乖離した値（外れ値）が発生する場合がある。一般にｗｅｂでデータを収集した場合、ほぼ、１０％程度の不正入力があることが分かっている。図中のＭＡと記した太線が平均値であり、図中ＭＡ＋２ＭＳＤと記した太線、ＭＡ−２ＭＳＤと記した太線は、上記のｗ＝２とした場合に相当する。図１０から、ｗを２〜３程度とすれば、不正入力の検出に好適であることが分かる。
【００４６】
［変形例］
なお、対象者が獲得した単語を対象者が理解した単語とした場合に限定すると、明らかに不正入力ではないにもかかわらず、ボキャブラリー指数がｗを２〜３程度とした範囲内に入らない（図Ｘの関数の下方に位置する）場合がある。このような場合は、語彙発達が遅い対象者のごく一部にみられることが実験により明らかになっている。対面調査により得られた結果に基づく場合等、不正入力でないことが明らかであって、対象者が獲得した単語を対象者が理解した単語とした場合であって、かつ、不正入力判定部により不正入力であると判定された場合、発達の異常（の可能性）がある。従って、不正入力判定部を発達の異常（の可能性）を発見する手段としても利用できる。なお、対象者が獲得した単語を対象者が発話した単語とした場合には、図９に示す通り、ボキャブラリー指数がｗを２〜３程度とした範囲内に入らないことはほぼないことが実験により確認されている。
【００４７】
＜共通ボキャブラリー指数関数算出部２４＞
共通ボキャブラリー指数関数算出部２４は、不正入力と判定された対象者のデータを除外して、共通ボキャブラリー指数関数VI(x)を算出する（Ｓ２４）。
【００４８】
＜共通ボキャブラリー指数関数記憶部２４ａ＞
共通ボキャブラリー指数関数記憶部２４ａは、ステップＳ２４で算出した共通ボキャブラリー指数関数VI(x)を記憶する。
【実施例３】
【００４９】
＜実施例３の課題＞
従来は幼児の月齢に依存して次に覚える単語を推定していたが、この推定は万人には当てはまらない。これは、月齢を基準にすると個人差が大きいことによる。そのため定型発達児童、非定型発達児童によらず、同じ月齢に依存した次獲得単語の推定ができない。
【００５０】
＜実施例３の効果＞
そこで実施例３では、月齢（習得期間の長さ）に依存せず、次獲得単語を推定することができる語彙発達指標推定装置を提供することを目的とする。
【００５１】
以下、図５を参照して、実施例３の語彙発達指標推定装置の構成を説明する。同図に示すように本実施例の語彙発達指標推定装置３は、実施例１と同様の語数カウント部１１と、ＡｏＡ記憶部１２ａと、ＡｏＡ取得部１２と、制御部１３ａと、実施例１と異なる次獲得単語推定部３６と、次獲得単語呈示部３７を含む構成である。なお、本実施例では、共通ボキャブラリー指数関数記憶部は不要である。以下、図６を参照して実施例１と異なる動作を説明する。
【００５２】
＜次獲得単語推定部３６＞
次獲得単語推定部３６は、対象者が獲得した単語の集合と、ＡｏＡ記憶部１２ａからの、予め定めた単語をＸ％獲得月齢の小さいものから順にＬ個（Ｌは正の整数）取得した単語の集合と、を入力として、次獲得単語を推定し（Ｓ３６）、出力する。
【００５３】
より詳細には、次獲得単語推定部３６は、ＡｏＡ記憶部１２ａから、予め定めた単語をＸ％獲得月齢の小さいものから順にＬ個取得し（Ｌは正の整数）、取得したＬ個の単語のうち、対象者が獲得したＮ個の単語を除外して、残りの単語を次獲得単語と推定する（Ｓ３６）。
【００５４】
Ｌは対象者の獲得語彙数Ｎよりも小さい値であったとしても成立する場合があるが、例えば、対象者の獲得語彙数Ｎに所定の正の整数ａを加えた数をＬ（Ｌ＝Ｎ＋ａ）とすれば好適である。Ｌは、予め決めておいてもよいし、ユーザが別途入力するようにしてもよい。例えば、対象者が幼児の場合、定型発達児用の所定の整数ａ１と、非定型発達児用の所定の整数ａ２（ａ１＞ａ２）をあらかじめ設定しておき、Ｌ＝Ｎ＋ａ１、またはＬ＝Ｎ＋ａ２とし、切り替え入力できるようにしておいてもよい。ａ、ａ１、ａ２は、幼児の今後１〜３か月程度の期間に獲得される語彙数とすれば好適である。
【００５５】
＜次獲得単語呈示部３７＞
次獲得単語呈示部３７は、推定された次獲得単語を入力とし、例えばディスプレイなどに呈示する（Ｓ３７）。
単語の呈示順は、例えば、
１）Ｘ％獲得月齢（ＡｏＡ）が小さい順に呈示する。
２）ＡｏＡ記憶部１２ａから、Ｎ個（対象者が獲得した単語数Ｎ個と同数）の単語を、Ｘ％獲得月齢（ＡｏＡ）が小さい順に取得し、当該Ｎ個の単語が、それ以外の単語より優先されるように呈示する（呈示の順序は問わない）。
３）対象者が幼児の場合、該当する幼児の月齢に近いＸ％獲得月齢（ＡｏＡ）を有する単語から順に呈示する。
４）ランダムに選択する。
【実施例４】
【００５６】
＜実施例４の課題＞
対象者が幼児の場合、その幼児が平均的な幼児と異なることに興味をもち、該当する領域の語彙の獲得が突出する場合がある。また、幼児の養育者が平均的な養育者とは異なる語彙を頻繁に使用する場合、その幼児の語彙獲得傾向が平均的な幼児のそれと異なる場合がある。
【００５７】
＜実施例４の効果＞
そこで実施例４では、ある対象者の語彙の獲得傾向が、平均的な対象者の語彙獲得傾向とどの程度乖離しているかを推定できる語彙発達指標推定装置を提供することを目的とする。
【００５８】
以下、図７を参照して、実施例４の語彙発達指標推定装置の構成を説明する。同図に示すように本実施例の語彙発達指標推定装置４は、実施例１と同様の語数カウント部１１と、ＡｏＡ記憶部１２ａと、ＡｏＡ取得部１２と、共通ボキャブラリー指数算出部１３と、制御部１３ａと、共通ボキャブラリー指数関数記憶部１４ａと、実施例１と異なる乖離度算出部４８を含む構成である。以下、図８を参照して実施例１と異なる動作を説明する。
【００５９】
＜乖離度算出部４８＞
乖離度算出部４８は、ある対象者が獲得した単語の単語数Ｋを共通ボキャブラリー指数関数に代入して求めた第１の共通ボキャブラリー指数VI(K)と、この対象者が獲得した単語の集合について求めた第２の共通ボキャブラリー指数VocIndex(K)を入力とし、第１の共通ボキャブラリー指数VI(K)と第２の共通ボキャブラリー指数VocIndex(K)との差分の符号および絶対値に基づいて乖離度を算出し（Ｓ４８）、出力する。
【００６０】
より詳細には、乖離度算出部４８は、語数カウント部１１から出力された対象者の獲得語彙数Ｋ、共通ボキャブラリー指数算出部１３から出力された共通ボキャブラリー指数VocIndex(K)と、共通ボキャブラリー指数関数記憶部１４ａから読みだした共通ボキャブラリー指数関数VI(x)とを入力とし、x=KのときのVI(K)とVocIndex(K)の差分dを求め、出力する。
d = VI(x=K)−VocIndex(K)
【００６１】
対象者が幼児の場合、ｄが負の場合は、対象の幼児が共通的なことに興味があり、正の場合は、平均的な幼児とは異なることに興味がある可能性がある。
【００６２】
また、対象者が幼児の場合、ｄが負の場合は、幼児の養育者が平均的な養育者がよく使用する語彙を多く使用し、ｄが正の場合は、幼児の養育者が平均的な養育者とは異なる語彙を頻繁に使用している可能性もある。従って上記指標は、語彙獲得する対象者の環境の特徴、すなわち、対象者を幼児とする場合には、幼児の語彙獲得に影響を及ぼす養育者の使用する語彙の特徴を判断する材料ともなりうる。
【００６３】
ｄの正負だけでなく、ｄが正の場合で所定の閾値以上の場合（１）、ｄが正の場合で所定の閾値以下の場合（２）、ｄが負の場合で所定の閾値以上の場合（３）、ｄが負の場合で所定の閾値以下の場合（４）の４段階の指標を出力するなど、ｄを量子化して、Ｐ段階の指標として出力してもよい。
【００６４】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００６５】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００６６】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００６７】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００６８】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００６９】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００７０】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００７１】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７２】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2020115197.tif 000003
【図２】
2020115197.tif 000004
【図３】
2020115197.tif 000005
【図４】
2020115197.tif 000006
【図５】
2020115197.tif 000007
【図６】
2020115197.tif 000008
【図７】
2020115197.tif 000009
【図８】
2020115197.tif 000010
【図９】
2020115197.tif 000011
【図１０】
2020115197.tif 000012